(57)【要約】      （修正有）【課題】店舗カードを利用した容易に店舗情報を取得できる情報受発信システムを提供する。【解決手段】ユーザが店舖内外に設置乃至配布されていた店舗カード５に記載されている店舗を特定する情報を携帯端末６からネットワーク７を介して受付コンピュータ１に送信することにより、店舗を特定する情報によって特定された店舗情報が受付コンピュータからネットワークを介して当該ユーザの携帯端末へ送信される。【選択図】図１
2006053502.tif 000002
【特許請求の範囲】
【請求項１】
店舗情報の受信を希望するユーザが使用する携帯端末と、前記ユーザからの店舗情報受信希望を受け付ける受付センタに配備されている受付コンピュータとがネットワークを介して相互に交信可能とされ、前記受付コンピュータは、前記ユーザに提供を申し出る複数の店舗に関する情報を保持し、当該受付コンピュータに情報が保持されている複数の店舗は、各店舗が前記ユーザに提供を申し出る各店舗を特定する情報及び受付センタにネットワークを介してアクセスするための情報が記載されている店舗カードを配布乃至設置しており、前記ユーザが、配布乃至設置されている前記店舗カードに記載されている店舗を特定する情報と店舗カードを配布乃至設置している場所を特定する情報と前記ユーザの携帯端末を特定する情報を前記携帯端末からネットワークを介して前記受付コンピュータに送信することにより、当該店舗を特定する情報によって特定された店舗情報が前記受付コンピュータからネットワークを介して当該ユーザの携帯端末へ送信されることを特徴とする情報受発信システム。
【請求項２】
前記店舗カードはポスター乃至他の紙媒体と結合することを可能とすることを特徴とする請求項１記載の情報受発信システム。
【発明の詳細な説明】
【技術分野】
【０００１】本発明は、店舗が発行する店舗カードを利用し、携帯電話、携帯移動端末（ＰＤＡ）、パーソナルコンピュータ（ＰＣ）、車載端末などを含む携帯端末と情報の受発信を行うための情報受発信システムに関する。
【背景技術】
【０００２】従来の店舗が発行するカードにはクーポンなどの特典が直接書かれており、利用時にはそのカードを店舗にて見せるまたは渡す必要があった。そのため利用者はそのカードまたはクーポン部分を常に持ち歩いている必要があり、またカードに記載できる情報量にも限界があった。これは従来の店舗が発行するカードの限界であり、利用者にとっても利便性が低いこと、さらには欲しい情報が不足している可能性が高いことを示している。【０００３】さらに従来の店舗が発行するカードはデザイン性やファッション性を追及したものが少なく、単に店舗の情報が記載されている紙という認識でしか利用者も受け止めない場合が多かった。またカードが設置されている場所も、店舖内だけに限られている場合が多く、単純なボックス等に収められているケースも多かった。
【発明の開示】
【発明が解決しようとする課題】
【０００４】本発明は上述した従来の店舗カードを利用することによる、利用者へ提供する情報量の不足や常時カードを携帯しなければならないという問題を解決し、さらにまた店舗カード自体に訴求力を持たせることで、利用者がカードをより取得しやすい状況を作り出す情報受発信システムである。
【課題を解決するための手段】
【０００５】  前記課題を解決するため、本発明の情報受発信システムは、ユーザが店舗内外に設置乃至配布されていた店舗カードに記載されている店舗を特定する情報を携帯端末からネットワークを介して受付コンピュータに送信することにより、店舗を特定する情報によって特定された店舗情報が受付コンピュータからネットワークを介して当該ユーザの携帯端末へ送信されることを特徴とするものである。【０００６】  ユーザが使用する携帯端末としては、例えば、携帯電話、携帯移動端末（ＰＤＡ）、パーソナルコンピュータ（ＰＣ）、車載端末などが挙げられる。【０００７】  受付コンピュータは、ユーザからの店舗情報を受け付ける受付センタに配備されている。受付コンピュータは、ユーザの携帯端末とネットワークを介して相互に交信可能とされている。【０００８】  受付コンピュータは、ユーザに提供を申し出る複数の店舖に関する情報を保持する。ユーザに提供を申し出る複数の店舗に関する情報としては、店舗からの割引クーポンやプレゼントキャンペーンなどのイベント情報、店舗の所在地や電話番号などの店舗情報、携帯サイトにアクセスするためのＵＲＬ（Ｕｎｉｆｏｒｍ  Ｒｅｓｏｕｒｃｅ  Ｌｏｃａｔｏｒ）などが含まれる。【０００９】  受付コンピュータでは、ユーザの携帯端末を特定する情報に基づき、店舗の情報を受信希望したユーザの携帯端末の情報を登録する処理が行われる構成にすることができる。【００１０】  店舗内外には、店舖カードを設置するポスターとそれに付随するポケットがあり、ユーザは自由に店舗カードを取得することができる。【００１１】  店舗を特定する情報としては、例えば店舗カードに記載されているメールアドレスやＱＲコード（Ｑｕｉｃｋ  Ｒｅｓｐｏｎｓｅ  コード）などが挙げられる。【００１２】  本発明の情報受発信システムは、情報希望店舗判断検討用情報生成処理部を備えていることを特徴とする。【００１３】  情報希望店舗判断検討用情報生成処理部は、情報取得部を介して取得した情報受信希望店舖を特定する情報受信希望店舖特定情報に基づき、当該情報受信希望店舗特定情報で特定された店舗情報を情報出力部を介して出力する処理を行う、コンピュータの処理動作部である。【００１４】  以上説明した本発明の情報受発信システムにおいては、さらに携帯端末特定情報作成処理部を備えている構成にすることができる。【００１５】  携帯端末特定情報作成処理部は、情報取得部を介して取得した前記情報受信店舖特定情報に付随している携帯端末特定情報に基づき、当該携帯端末特定情報を登録する処理を行う、コンピュータの処理動作部である。【００１６】  前記情報受発信システムは、情報受発信システムを構成する受付コンピュータが受付センタに配備されており、当該受付コンピュータと、前記情報受信希望店舖特定情報を送信し、さらに前記情報受信希望店舗特定情報で特定された店舗の情報を受信するユーザの携帯端末とがネットワークで相互に交信可能とされているようにすることもできる。【００１７】  また、前記情報受発信システムは、ユーザが携帯端末から送信する前記情報受信希望店舗特定情報が店舗カードに記載されているものであり、ユーザの携帯端末を特定する情報が、当該店舗カード��記載されている前記情報受信希望店舗特定情報に含まれているようにすることができる。
【発明の効果】
【００１８】本発明は上述した従来の店舖カードを利用することによる、利用者へ提供する情報量の不足や常時カードを携帯しなければならないという問題を解決し、さらにまた店舖カード自体に訴求力を持たせることで、利用者がカードをより取得しやすい状況を作り出す情報受発信システムである。
【発明を実施するための最良の形態】
【００１９】  次に、本発明を図面などを参照してさらに詳細に説明する。【００２０】  本発明の情報受発信システムを説明する概念図の一例を図１に、基本的な手順の一例を図２に示す。【００２１】  店舗３に来店したユーザは、ポスター４に設置されている店舗カード５を見たり、手に取ったりして取得する。ここで、ユーザが店舗の情報を受信しようと考えた場合には、店舗３に備えられていたポスター４にある店舖カード５に記載されている店舖を特定する情報を携帯端末６からネットワーク７を介して受付コンピュータ１に送信することにより、受付コンピュータ１は、携帯端末６から送られた店舗を特定する情報を受信して取得する
（手順１０１）。【００２２】  受付コンピュータ１では、取得した店舗を特定する情報に基づき、店舗情報を特定し、受付コンピュータ１からネットワーク７を介してユーザの携帯端末６へ送信する
（手順１０２）。【００２３】  携帯端末６は受付コンピュータ１より特定された店舗情報を受信する
（手順１０３）。
【図面の簡単な説明】
【００２４】
【図１】  本発明の情報受発信システムの一例を説明する概念図。
【図２】  本発明の情報受発信システムの基本的な手順の一例を示すフロー図。
【符号の説明】
【００２５】１  受付コンピュータ
２  受付センタ
３  店舗
４  ポスター
５  店舗カード
６  携帯端末
７  ネットワーク
【図１】
2006053502.tif 000003
【図２】
2006053502.tif 000004